(57)【特許請求の範囲】
【請求項１】
高群帯域と低群帯域とに２分して双方向伝送をするＣＡＴＶ伝送路に接続された、送信側の端末装置と受信側のセンタ装置との間で行われるスペクトラム拡散通信方式による伝送帯域を有した双方向伝送システムにおいて、
前記受信側のセンタ装置には、所定の拡散符号を記憶した拡散符号記憶部と、前記送信側の端末装置から送出されたスペクトラム拡散変調信号の位相を検出する位相同期検出部を備え、
前記送信側の端末装置には、前記所定の拡散符号と同一の拡散符号を記憶した前記拡散符号記憶部と、それぞれ前記受信側のセンタ装置の最適化位相を記憶する位相記憶部を備え、
前記受信側のセンタ装置でクロック信号を発生させて、そのクロック信号を前記伝送路の前記高群帯域により前記送信側の端末装置に常時伝送し、
前記受信側のセンタ装置はそのクロック信号に同期して拡散符号を発生させ、
前記送信側の端末装置ではそのクロック信号と前記最適化位相とに基づいた位相に同期して拡散符号を発生させ、
システムの初期化時においては、
前記送信側の端末装置より前記所定の拡散符号でスペクトラム拡散変調信号を送信させ、
前記受信側のセンタ装置が同一の拡散符号でスペクトラム拡散復調を行い前記位相同期検出部によって前記位相を求め、前記最適化位相を前記送信側の端末装置に知らせ、
前記送信側の端末装置はその位相情報に基づいた位相で拡散符号を発生させてスペクトラム拡散変調を行うことにより、送信側の端末装置で発生される拡散符号の位相を最適化し、
その初期化以降においては、送信側の端末装置は前記位相記憶部に記憶された前記最適化位相を用いて前記拡散符号を発生させて、スペクトラム拡散変調信号を送出する
ことを特徴とする双方向伝送システム。
【発明の詳細な説明】
【０００１】
【産業上の利用分野】
本発明は、スペクトラム拡散通信方式を用いた双方向伝送システムに関する。特に、拡散符号の同期捕捉をなくしデータ伝送のスループットを向上させた伝送システムに関する。
【０００２】
【従来技術】
従来より、双方向伝送システムの一例として、周波数多重により上りチャネルと下りチャネルを設けた、例えば、ＣＡＴＶシステム等のブロードバンド伝送システムがある。上りチャネルは、低群周波数帯域（数十ＭＨｚ）を、下りチャネルは高群周波数帯域（数百ＭＨｚ）を使用している。この周波数多重化システムでは、高群周波数帯域では雑音劣化が少なく、低群周波数帯域では雑音劣化が大きい。このため、低群周波数帯域では、特許第２７２７２９７号公報に開示されているように、スペクトラム拡散通信方式の採用が提案されている。
【０００３】
従来より、このスペクトラム拡散通信方式（以下、ＳＳ方式）の受信方法には、スライディング相関器を用いた同期方法が採用されている。このスライディング相関器による同期引き込みは、以下のように行われる。図５（ａ）に直接拡散ＳＳ方式の変調部を示す。先ず、搬送波Ｗc とデータ信号ｄ（ｔ）を掛け合わせる。ここで得られたＰＳＫ変調波に更にｐ（ｔ）なる拡散符号を乗じてＳＳ変調波を発生させる。このＳＳ変調波は、図示しない伝送路に送出される。
【０００４】
次に、図５（ｂ）にその復調部を示す。復調部では、変調部とは逆の操作でデータ信号ｄ（ｔ）が復調される。しかしながら、完全復調には変調側と復調側の拡散符号のパターンおよび位相がほぼ一致した同期状態が必要である。
【０００５】
直接拡散ＳＳ方式の理想的な状態を図６に示す。理想的な伝送は、変調と復調に同一の拡散符号が使用されることである。現実には、同一の拡散符号発生器を共用することは不可能であるため、受信側の拡散符号発生器の位相を順にシフトさせて送信側と同期をとる。復調側ＰＳＫ波の振幅が最大になった場合を、同期条件とし、その位相で受信する。この方法が、スライディング相関器による同期方法である。このような方式で、スペクトラム拡散通信方式の受信は行われている。
【０００６】
【発明が解決しようとする課題】
しかしながら、上記スライディング相関による同期方式は、回路構成がシンプルで安定動作が期待できるが、同期が確立されるまでに多くの時間を要するという欠点がある。特に、拡散符号の周期が長くなれば更にその傾向が強くなる。
又、バースト通信時ではパケット毎に同期確立の時間が必要となり、実効的な伝送速度の低下を招くという問題がある。
【０００７】
又、例えばＣＡＴＶシステムを用いたデータ通信では、各端末装置は伝送路の空き時間を利用してデータを送出している。従って、送信要求が多数発生する場合は、各端末から次々と空き時間を検出して、データが送信されてくる。この場合に、それぞれのパケット毎にスライディング相関器を用いて同期をとると、同期が取れるまでに多大な時間を要する。従って、伝送路の空き時間を有効に使用することができないという問題があった。
【０００８】
他に、この同期確立までの期間を短縮する方法として、マッチドフィルタを用いたマッチドフルタ方式等がある。しかしながら、拡散符号の符号長の増加に伴い回路規模が大きく（複雑）なりコスト高になるという欠点があった。
【０００９】
本発明は上記の課題を解決するために成されたものであり、その目的はセンタ装置と固定端末装置間で行われるスペクトラム拡散通信方式において、端末装置側から位相を考慮したスペクトラム拡散変調波を送出し、両装置における同期捕捉時間をなくし正味の通信速度を向上させることである。
【００１０】
【課題を解決するための手段】
上記の課題を解決するための手段は、高群帯域と低群帯域とに２分して双方向伝送をするＣＡＴＶ伝送路に接続された送信側の端末装置と受信側のセンタ装置との間で行われるスペクトラム拡散通信方式による伝送帯域を有した双方向伝送システムにおいて、受信側のセンタ装置には、所定の拡散符号を記憶した拡散符号記憶部と、送信側の端末装置から送出されたスペクトラム拡散変調信号の位相を検出する位相同期検出部を備え、送信側の端末装置には、所定の拡散符号と同一の拡散符号を記憶した拡散符号記憶部と、それぞれ受信側のセンタ装置の最適化位相を記憶する位相記憶部を備え、受信側のセンタ装置でクロック信号を発生させて、そのクロック信号を前記伝送路の前記高群帯域により送信側の端末装置に常時伝送し、受信側のセンタ装置はそのクロック信号に同期して拡散符号を発生させ、送信側の端末装置ではそのクロック信号と最適化位相とに基づいた位相に同期して拡散符号を発生させ、システムの初期化時においては、送信側の端末装置より所定の拡散符号でスペクトラム拡散変調信号を送信させ、受信側のセンタ装置が同一の拡散符号でスペクトラム拡散復調を行い位相同期検出部によって位相を求め、最適化位相を送信側の端末装置に知らせ、送信側の端末装置はその位相情報に基づいた位相で拡散符号を発生させてスペクトラム拡散変調を行うことにより、送信側の端末装置で発生される拡散符号の位相を最適化し、その初期化以降においては、送信側の端末装置は位相記憶部に記憶された最適化位相を用いて拡散符号を発生させて、スペクトラム拡散変調信号を送出することを特徴とする双方向伝送システムである。
【００１１】
【００１２】
高群帯域と低群帯域とで２分する方式としては、伝送路の一端に周波数を高群から低群、低群から高群へと変換するヘッドエンドを設けて、伝送路に接続されている各機器間で双方向通信可能とする方式がある。さらに、この方式において、伝送路にセンタ装置を接続して、このセンタ装置から所定の映像信号やデータを伝送路に送出すると共に、伝送路に接続されている各端末装置間で双方向通信を可能としたり、端末装置とセンタ装置との間で双方向通信可能とするシステムが考えられる。
【００１３】
さらに、システム構成上、ヘッドエッドの置かれる位置にヘッドエンドに加えて、又は、ヘッドエンドに換えてセンタ装置を設けても良い。ヘッドエンドに換えてセンタ装置を設けた場合には、端末装置間の通信は、センタ装置を介して行われることになる。このように、各種の方式が考えられるが本発明は、これらに限定されるものではない。しかし、センタ装置から映像信号を伝送するようなＣＡＴＶ伝送路において、端末装置とセンタ装置との間でのデータ伝送、センタ装置を介在させたインタネット通信等に用いる場合には、上り流合雑音に対して強くなるので、特に、効果がある。
【００１４】
又、スペクトラム拡散方式で通信を行うのは、システムの一部の帯域で用いられておれば十分であり、全てのチャネルで用いられる必要性はない。特に、低群上りチャネルのデータ伝送にスペクトラム拡散方式を用いることで、上述したように流合雑音に対して強いという利点がある。
【００１５】
又、送信側と受信側は伝送路に接続されている機器において、スペクトラム拡散方式でデータを伝送する側の機器、そのデータを受信する側の機器を意味する。
初期化時に用いる拡散符号は、初期化以降に用いる拡散符号と同一でも異なっていても良い。即ち、初期化時に専用に用いる拡散符号であれば、送信側が複数である場合に、初期化用の拡散符号を共通化させることができる。異なる場合には、通常の運用時に割り当てられている各送信側の拡散符号を用いれば良い。
【００１６】
【００１７】
【００１８】
【００１９】
【００２０】
【発明の作用及び効果】
本発明によれば、スペクトラム拡散通信方式において、受信側のスペクトラム拡散復調時の拡散符号発生の位相に合わせて、送信側が送信側の拡散符号を発生させ、スペクトラム拡散変調信号を送出している。
これにより、受信側はスペクトラム拡散復調時において、各送信側から送出されるスペクトラム拡散変調信号に対して位相を合わせる必要がない。即ち、各送信側からのスペクトラム拡散変調信号を即座に復調することができる。受信側の位相合わせの時間、即ち、送信側での待ち時間が省略されるので、正味の伝送時間が短縮される。よって、伝送効率の高い双方向伝送システムとなる。
【００２１】
更に、受信側は受信側の有するクロックを基準にして拡散符号を発生させている。又、送信側は受信側から送出されたそのクロック信号を基準にして、最適化位相で送信側の拡散符号を発生させている。同一のクロックを基準にして、受信側の拡散符号と送信側側の拡散符号を発生させている。従って、確実に両拡散符号を同期させることができる。
【００２２】
更に、受信側は所定の拡散符号を記憶した拡散符号記憶部と送信側から送出されたスペクトラム拡散変調信号の位相を検出する位相同期検出部とを備え、各送信側は受信側の所定の拡散符号と同一の拡散符号を記憶した拡散符号記憶部を備えている。
【００２３】
そして、システム初期化時には、先ず送信側がその所定の拡散符号でスペクトラム拡散変調信号を送信する。受信側は、同一の拡散符号でスペクトラム拡散復調を行う。
この時、完全な復調には送信側の拡散符号と受信側側の拡散符号が一致すると共にその位相も一致（位相同期）していることが必要である。しかし、この位相は、一般には伝搬による遅延があるため一致しない。
【００２４】
位相同期検出部は、例えばスペクトラム拡散復調信号の振幅値やその変化から一致度を検出し、最適化位相を送信側に知らせる。これにより、各送信側に対して、即ち送信側側の拡散符合の発生位相（発生時期）に対して、固有の位相が設定される。受信側側では、送信側の拡散符号と受信側側の拡散符号が一致すると共にその位相も一致するので、完全な復調が行われる。これにより、精度の高い通信が保証される。
【００２５】
更に、システム初期化時に、各送信側は位相記憶部にそれぞれ最適化位相を記憶する。初期化の後は、送信側は位相記憶部に記憶された最適化位相を用いて、所定の拡散符号を発生させてスペクトラム拡散変調信号を受信側に送出する。即ち、いちいち受信側側と位相合わせをする必要がなく、即座にデータをスペクトラム拡散通信方式で受信側に送信することができる。よって、送信速度を速めたスペクトラム拡散通信が可能となる。
【００２６】
更に、送信側を端末装置、受信側をセンタ装置としている。従って、ＣＡＴＶ伝送路における上りチャネルのこの方式のスペクトラム拡散方式を用いることができ、データの伝送効率を向上させることができると共に耐雑音性を向上させることができる。
【００２７】
【発明の実施の形態】
以下、本発明の実施の形態について図面を参照して説明する。なお、本発明は下記実施例に限定されるものではない。
（実施例）
図１に、双方向伝送システムの一例であるスペクトラム拡散通信方式を用いた双方向ブロードバンド伝送システムを示す。図は概略構成図である。本実施例の双方向ブロードバンド伝送システムは、センタ装置（受信側）１０と複数の端末装置（送信側）２０、及びそれらを接続する伝送路３０からなる。
ここではシステムとして、伝送路３０に光ファイバ、同軸ケーブルを使用したＣＡＴＶシステムを想定する。このシステムでは、センター装置１０からの高群下り信号は常時送出され、各端末装置２０からセンター装置１０への低群上り信号は時分割で同じ帯域を共有して送出されるものとする。
又、ここではセンター装置１０からの高群下りチャンネルにはスペクトラム拡散通信方式を適用せず、端末装置２０からの低群上りチャンネルのみにスペクトラム拡散通信方式を適用するものとする。
【００２８】
図２に本実施例のセンタ装置１０を示す。図は、システムブロック図である。本実施例のセンタ装置１０は、低群上り信号と高群下り信号とを分離する分波器１１、スペクトラム拡散変調された低群の信号をスペクトラム拡散復調（スペクトラム逆拡散）する逆拡散器１２、ＳＳ復調に使用する拡散符号を発生させる拡散符号発生器１３、逆拡散器１２によって復調されたＰＳＫ変調信号をクロック信号ＣＫu とデータ信号Ｄu に更に復調するデジタル復調部１７、入力されたＳＳ変調波の同期状態（位相）を検出する同期検出部１６、その検出された同期状態を位相制御データＤpc等の制御データに加工する通信制御部１５、その制御データとデータ信号Ｄd とクロックＣＫd を変調して下り信号Ｓd として送出するデジタル変調部１４、そしてシステム立ち上げ時に使用される拡散符号を記憶した拡散符号記憶部１８から構成される。
【００２９】
又、図３に端末装置２０のシステムブロック図を示す。本実施例の端末装置２０は、高群下り信号と低群上り信号を分離する分波器２１、下り信号Ｓd からクロック信号ＣＫd 、データ信号Ｄd 、位相制御データＤpcを復調するデジタル復調部２３、データ信号Ｄd からアドレス一致を判定し、一致した場合に位相制御データＤpcを取り込む通信制御部２４、その位相制御データＤpcと上記クロック信号ＣＫd に基づいて（位相を調整して）拡散符号を発生させる拡散符号発生器２５、及び端末側からのデータ送出時にクロック信号ＣＫu とデータ信号Ｄu を変調してＰＳＫ変調信号を生成するデジタル変調部２６，そのＰＳＫ変調信号を上記拡散符号発生器２５から出力される拡散符号で更に変調（スペクトラム拡散）してＳＳ変調信号を発生させる拡散器２２、そしてシステム立ち上げ時のみ使用する拡散符号を記憶した拡散符号記憶部２８から構成される。
【００３０】
本実施例は、主に端末装置２０からスペクトラム拡散通信方式によって送出されたデータを短時間に受信することを目的としている。そのためには、センタ装置１０側で受信した拡散符号の位相（即ち受信したＳＳ変調信号の位相）と、拡散符号発生器１３で発生させる拡散符号の発生位相を一致させる必要がある。この位相の調整するのは、伝送路３０の伝送距離及び図示しない中継装置による伝搬遅延（位相ずれ）があるためである。
【００３１】
従来では、センタ装置１０において拡散符号同期検出部１６で得た信号を拡散符号発生器１３にフイードバックし、センタ装置１０側の拡散符号の位相を調整し、時間を要しながら位相同期をとっていた。本実施例は、予め端末装置２０から位相の一致したＳＳ変調信号を送出させて、センタ装置１０側での位相調整時間をなくし正味の受信速度を速めたことが特徴である。そのためには、以下に示す手順により、予め端末装置２０側に最適化位相を記憶させる必要がある。
【００３２】
その手順を図２、図３及び図４（ａ）、（ｂ）に示すフローチャートを用いて説明する。図４（ａ）がセンタ装置１０側の動作であり、図４（ｂ）が端末装置２０側のそれである。尚、図中破線は送信を意味する。
先ず、センター装置１０の動作を説明する。ステップＳ１００にて、対象の端末装置２０を指定するアドレスと位相制御データＤpc等を下り信号Ｓd として送信する。
センター装置１０からの下り信号Ｓd は、分波器２１によって分離されデジタル復調部２３に入る（図３）。そして、デジタル復調部２３により受信データＤd 、クロックＣＫd 、アドレスデータ、及び位相制御データＤpcが分離される。
【００３３】
端末装置２０では、ステップＳ２００にてセンタ装置１０からのポーリングを待機しており、上記アドレスが一致するとステップＳ２１０に移行する。ステップＳ２１０では、通信制御部２４が位相制御データＤpcを受け取る。この位相制御データＤpcは、拡散符号発生器２５の発生位相を指令するデータである。
システム立ち上げ時においては、拡散符号発生器２５は、拡散符号記憶部２８からテスト用拡散符号を読み出し、上記位相制御データＤpcで位相を調整して発生させる。例えば、システム立ち上げ時はクロックＣＫd を基準として位相０°でテスト用拡散符号を発生させる。
発生せられた拡散符号とデジタル変調部２６からのテストデータを含むＰＳＫ変調波は拡散器２２によって更にＳＳ変調される。このＳＳ変調されたテスト用上り信号Ｓu はセンタ装置１０に送信され、ステップＳ１１０で受信される。
尚、システム立ち上げ後は、後述するように各端末装置２０に割り当てられた所定の位相で所定の拡散符号が発生される。
【００３４】
ステップＳ１１０では、そのテストデータを含む上り信号Ｓu が受信される。このステップＳ１１０の受信過程は、以下の通りである。端末装置２０からの上り信号Ｓu は、分波器１１を経て逆拡散器１２に入る、逆拡散器１２では、拡散符号発生器１３からのテスト用の拡散符号によってＳＳ復調され、元のＰＳＫ変調信号に復元される。その後、ＰＳＫ変調信号は、デジタル復調部１７にて更に復調され、受信データＤu とクロック信号ＣＫu に分離される。
【００３５】
しかしながら、完全な復調には端末装置２０側の拡散符号とセンタ装置１０側の拡散符号の位相が同期（一致）していることが必要である。
ステップＳ１２０では、上記逆拡散器１２から送出されてＰＳＫ変調信号とデータ信号Ｄu から拡散符号の位相の一致度を算出し、位相の一致・不一致を判断する。この位相の一致度は、逆拡散により復元されたＰＳＫ変調信号のレベル等により算出される。又、データ信号Ｄu とテストデータの比較からも判定される。
【００３６】
一致度が所定値以下ならば、ステップＳ１３０に移行する。ステップＳ１３０では、位相同期検出部１６がその一致度から端末装置２０が発生させる位相の調整量を算出し、位相シフト指令として位相制御データＤpcを通信制御部１５に送出する。
そして、通信制御部１５とデジタル変調部は１４は、再びその位相制御データＤpcを変調して端末装置２０に下り信号Ｓd データとして送信する。
又、一致度が所定値以上ならば、ステップＳ１４０に移行し、同様に下り信号Ｓd として位相一致を端末装置２０に送信する。
【００３７】
この下り信号Ｓd は、端末装置２０側のステップＳ２２０で下りデータとして受信される。ステップＳ２４０において、位相不一致と判断された場合はステップＳ２３０に移行し、上記位相制御データＤpcが拡散符号発生器２５に指令される。そしてステップＳ２１０に移行し、位相制御データＤpcの位相差でテスト用の拡散符号が発生せられ、ＳＳ変調波信号が更新されてセンタ装置１０に送信される。
即ち、センタ装置１０と端末装置２０間でそれらの位相が一致するまでステップＳ２１０から順次、ステップＳ１１０、ステップＳ１２０、ステップＳ１３０、ステップＳ２２０、ステップＳ２４０、ステップＳ２３０、ステップＳ２１０が閉ループで繰り返される。そして、複数回の繰り返し中に位相が一致する。
【００３８】
位相が一致すれば、ステップＳ１２０からステップＳ１４０に移行し、センタ装置１０から位相一致データが端末装置２０に送信される。そして、端末装置２０がステップＳ２２０で位相一致データを受信し、ステップＳ２４０でそれを判定し終了する。これにより、センタ装置１０側では、ほぼ完全なＳＳ復調が行われる。
【００３９】
尚、終了時には通信制御部２４内の位相記憶部２４ａ内には、最終的な位相シフト量が記憶されている（ステップＳ２３０）。これが、この端末装置２０の固有の位相シフト量となる。
システム立ち上げ以降は、この位相記憶部２４ａ内に記憶された位相シフト量を用いて、拡散符合が発生される。即ち、常に端末装置２０側からセンタ装置１０に合わせて位相の一致したＳＳ変調信号が送出される。従来の様に、位相合わせの時間が無くなるので、即座にスペクトラム拡散通信方式でデータ通信することができる。
【００４０】
又、本件ではセンター装置内のクロックＣＫd を端末装置２０内の拡散符号発生器２５のクロックに使用している。即ち、センタ装置１０と同一のクロックＣＫd を基準にして、位相シフト（拡散符号の発生時期）を決定している。そして、センタ装置１０内では、そのクロックＣＫd を用いた拡散符号発生器１３でＳＳ復調している。
同一のクロックＣＫd を用いて位相調整を行っているので、ステム立ち上げ時に一度、拡散符号発生器１３、２５の位相を一致させれば、以降その状態が永続する。従って、センタ装置１０は端末装置２０からＳＳ方式によって送出されたデータを精度よく確実に受信することができる。
【００４１】
又、この方式によれば、センタ装置１０側で拡散符号同期の為の処理を行うことなく、すなわちスペクトラム拡散通信方式を意識することなく、通常のデジタル変調（ＱＰＳＫ変調、ＰＳＫ変調）として取り扱う事ができる。
又、システム立ち上げ以降は、センタ装置１０側でも端末装置２０側でも、スペクトラム拡散の復調で問題となる同期引き込み時間のロスタイムが省略される。これにより、正味の通信速度を向上させることができる。これは多数の端末装置２０からのデータを効率良く処理することを意味する。従って、例えばＣＡＴＶシステムに本方式を適用すれば、高速双方向データ通信システムとなる。
【００４２】
（変形例）
以上、本発明を表わす１実施例を示したが、他にさまざまな変形例が考えられる。
上記実施例は、初期化時の拡散符号は統一された符号を用いたが、各端末装置毎に異なる拡散符号を用いても良い。例えば、通常の運用時において各端末装置毎に拡散符号が異なる場合においても、その運用時の拡散符号で位相調整のための初期化手順を実行しても良い。
【００４３】
上記実施例では、スペクトラム拡散変調方式としては、上述した直接拡散変調（ＤＳ）方式を用いたが、他の方式、例えば周波数ホッピング変調（ＦＨ）方式、パルス化周波数変調（パルス化ＦＭ）方式、チャープ変調方式等を採用することができる。
【００４４】
又、上記実施例ではＣＡＴＶ等の伝送路を想定したが、他の地上放送および衛星放送を含む放送波、マイクロ波、光空間伝送など基地局の固定された空間伝送路を想定することもできる。
【図面の簡単な説明】
【図１】本発明の実施例に係わる双方向データ伝送方式を説明する概略構成図。
【図２】本発明の実施例に係わるセンタ装置のシステムブロック図。
【図３】本発明の実施例に係わる端末装置のシステムブロック図。
【図４】本発明の実施例に係わるセンタ装置と端末装置の動作を示すフローチャート。
【図５】従来のスペクトラム拡散通信方式の変調部（ａ）と復調部（ｂ）を説明する説明図。
【図６】理想的なスペクトラム拡散通信方式の変復調を説明する説明図。
【符号の説明】
１０          センタ装置
１１          分波器
１２          逆拡散器
１３          拡散符号発生器
１４          デジタル変調部
１５          通信制御部
１６          位相同期検出部
１７          デジタル復調部
１８          拡散符号記憶部
２０          端末装置
２１          分波器
２２          拡散器
２３          デジタル復調部
２４          通信制御部
２５          拡散符号発生器
２６          デジタル変調部
２８          拡散符号記憶部
３０          伝送路
【図１】
0003547357.tif 000002
【図２】
0003547357.tif 000003
【図３】
0003547357.tif 000004
【図４】
0003547357.tif 000005
【図５】
0003547357.tif 000006
【図６】
0003547357.tif 000007